(57)【要約】【課題】使用形態に応じて、光源の点灯制御を行うことができるプロジェクターを提供する。【解決手段】プロジェクター１は、光源１１から射出された光の光路上に開閉可能に備えられたカバー部材と、カバー部材の位置を検出する位置検出部（レンズカバー位置検出部２２）と、マイクロフォンＭＣを接続するためのマイク入力端子６０ａと、マイクロフォンＭＣが接続されているか否かを検出するマイク接続検出部６１と、プロジェクター１の状態を切り替え可能な制御部２０と、を備え、カバー部材が閉位置で、電源オン操作を待機している第１の状態において、マイクロフォンＭＣが接続されている場合に、電源オン操作がなされると、制御部２０は、光源１１を点灯せず、マイク入力端子６０ａから入力された音声信号に基づく音声をスピーカーから出力する第２の状態に切り替える。【選択図】図２
2010281863.tif 000002
【特許請求の範囲】
【請求項１】
音声信号に基づく音声を出力するスピーカーを備えたプロジェクターであって、
光源と、
前記光源から射出された光を変調して画像を形成する光変調装置と、
前記光変調装置で形成された前記画像を投写する投写光学系と、
前記光源から射出された前記光の光路上に開閉可能に備えられ、前記光を遮断する閉位置および前記光を透過させる開位置の間を移動可能なカバー部材と、
前記カバー部材の位置を検出する位置検出部と、
マイクロフォンを接続するためのマイク入力端子と、
前記マイク入力端子に前記マイクロフォンが接続されているか否かを検出するマイク接続検出部と、
前記プロジェクターの状態を切り替え可能な制御部と、
を備え、
前記位置検出部の検出結果が閉位置で、前記プロジェクターの電源をオンにするための電源オン操作を待機している第１の状態において、前記マイク接続検出部の検出結果が前記マイクロフォンが接続されている場合に、
前記電源オン操作がなされると、前記制御部は、前記光源を点灯せず、前記マイク入力端子から入力された前記音声信号に基づく前記音声を前記スピーカーから出力する第２の状態に切り替えることを特徴とするプロジェクター。
【請求項２】
請求項１に記載のプロジェクターであって、
前記位置検出部の検出結果が開位置で、前記光源を第１の輝度で点灯して前記画像を投写している第３の状態において、前記マイク接続検出部の検出結果が前記マイクロフォンが接続されている場合に、
前記カバー部材を閉位置に移動するカバー閉操作がなされると、前記制御部は、前記光源を消灯した前記第２の状態に切り替えることを特徴とするプロジェクター。
【請求項３】
請求項１または２に記載のプロジェクターであって、
記録媒体を装填可能とする装填部と、
前記装填部に装填された前記記録媒体に記録されたコンテンツを再生する再生部と、
前記再生部が再生する前記コンテンツの種別を識別するコンテンツ識別部と、
をさらに有し、
前記第１の状態において、前記マイク接続検出部の検出結果が前記マイクロフォンが未接続であり、且つ、前記コンテンツ識別部が識別した前記コンテンツの種別がオーディオコンテンツである場合に、
前記電源オン操作がなされると、前記制御部は、前記光源を点灯せず、前記再生部により再生された前記コンテンツの音声信号に基づく音声を前記スピーカーから出力する第４の状態に切り替えることを特徴とするプロジェクター。
【請求項４】
請求項３に記載のプロジェクターであって、
前記第３の状態において、前記マイク接続検出部の検出結果が前記マイクロフォンが未接続であり、且つ、前記コンテンツ識別部が識別した前記コンテンツの種別がオーディオコンテンツである場合に、
前記カバー閉操作がなされると、前記制御部は、前記光源を消灯した前記第４の状態に切り替えることを特徴とするプロジェクター。
【請求項５】
請求項３または４に記載のプロジェクターであって、
前記第１の状態において、前記マイク接続検出部の検出結果が前記マイクロフォンが接続されており、且つ、前記コンテンツ識別部が識別した前記コンテンツの種別がオーディオコンテンツである場合に、
前記電源オン操作がなされると、前記制御部は、前記光源を点灯せず、前記マイク入力端子から入力された前記音声信号と、前記再生部により再生された前記コンテンツの前記音声信号と、の両方に基づく前記音声を前記スピーカーから出力する第５の状態に切り替えることを特徴とするプロジェクター。
【請求項６】
請求項５に記載のプロジェクターであって、
前記第３の状態において、前記マイク接続検出部の検出結果が前記マイクロフォンが接続されており、且つ、前記コンテンツ識別部が識別した前記コンテンツの種別がオーディオコンテンツである場合に、
前記カバー閉操作がなされると、前記制御部は、前記光源を消灯した前記第５の状態に切り替えることを特徴とするプロジェクター。
【請求項７】
請求項３乃至６のいずれか一項に記載のプロジェクターであって、
前記第３の状態において、前記マイク接続検出部の検出結果が前記マイクロフォンが未接続であり、且つ、前記コンテンツ識別部が識別した前記コンテンツの種別がオーディオコンテンツでない場合に、
前記カバー閉操作がなされると、前記制御部は、前記光源を前記第１の輝度よりも低い第２の輝度で点灯させる第６の状態に切り替えることを特徴とするプロジェクター。
【発明の詳細な説明】
【技術分野】
【０００１】
本発明は、プロジェクターに関する。
【背景技術】
【０００２】
プロジェクターには、マイクロフォンを接続可能な入力端子およびスピーカーを有し、マイクロフォンから入力された音声を増幅して出力することができるものがある。ユーザーは、このようなプロジェクターを利用する場合、時として画像の投写を必要とせず、音声の出力だけを使用したい場合がある。このような場合、ユーザーは、画像の投写を停止するためにプロジェクターのレンズカバーを閉めることがあった。
【０００３】
しかし、レンズカバーを閉めると、光源ランプ（特に放電型投写ランプ）の熱により、レンズカバーやプロジェクター内部が過熱する恐れがあった。このため、レンズカバーを閉めた場合には、光源ランプを消灯するプロジェクターが開示されている（例えば、特許文献１）。また、レンズカバーを閉めた場合には、光源ランプの発光輝度を低下させるプロジェクターが開示されている（例えば、特許文献２）。
【先行技術文献】
【特許文献】
【０００４】
【特許文献１】特開２００７−１７１８７２号公報
【特許文献２】特開２００５−３２６６４６号公報
【発明の概要】
【発明が解決しようとする課題】
【０００５】
しかしながら、特許文献１のようにレンズカバーを閉めたときに光源ランプを消灯してしまうと、レンズカバーを開けたときに、光源ランプの点灯に時間が掛かるという問題がある。また、特許文献２のようにレンズカバーを閉めたときに光源ランプの発光輝度を低下させる場合には、光源ランプを消灯する場合と比較して、電力の消費が多いという問題がある。また、光源ランプの発光輝度を低下させても、光源ランプを含めたプロジェクター内部を冷却するための冷却ファンをある程度回転させる必要があるため、冷却ファンによる騒音がユーザーや視聴者にとって気に掛かる場合がある。このため、ユーザーの使用形態に応じて、光源ランプの点灯制御を行うことができるプロジェクターが求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、音声信号に基づく音声を出力するスピーカーを備えたプロジェクターであって、光源と、前記光源から射出された光を変調して画像を形成する光変調装置と、前記光変調装置で形成された前記画像を投写する投写光学系と、前記光源から射出された前記光の光路上に開閉可能に備えられ、前記光を遮断する閉位置および前記光を透過させる開位置の間を移動可能なカバー部材と、前記カバー部材の位置を検出する位置検出部と、マイクロフォンを接続するためのマイク入力端子と、前記マイク入力端子に前記マイクロフォンが接続されているか否かを検出するマイク接続検出部と、前記プロジェクターの状態を切り替え可能な制御部と、を備え、前記位置検出部の検出結果が閉位置で、前記プロジェクターの電源をオンにするための電源オン操作を待機している第１の状態において、前記マイク接続検出部の検出結果が前記マイクロフォンが接続されている場合に、前記電源オン操作がなされると、前記制御部は、前記光源を点灯せず、前記マイク入力端子から入力された前記音声信号に基づく前記音声を前記スピーカーから出力する第２の状態に切り替えることを特徴とする。
【０００８】
このようなプロジェクターによれば、光源からの光の光路上に、光を遮断したり透過させたりすることが可能なカバー部材を備える。位置検出部は、カバー部材の位置を検出する。また、プロジェクターは、マイク入力端子とスピーカーとを備える。マイク接続検出部は、マイク入力端子にマイクロフォンが接続されたか否かを検出する。制御部は、カバー部材が閉位置で、電源オン操作を待機している第１の状態において、マイクロフォンが接続されている場合に、電源オン操作がなされると、光源の点灯を行わずに、マイク入力端子から入力された音声信号に基づく音声をスピーカーから出力する第２の状態に切り替える。つまり、光源を点灯しないでプロジェクターを起動して、マイクロフォンから入力された音声信号に基づいた音声をスピーカーから出力することが可能となる。これにより、プロジェクターは、マイクロフォン音声を出力する際の消費電力を低減することができる。また、光源等を冷却するためのファンを回転させる必要がないため、ファンによる騒音を低減することができる。
【０００９】
［適用例２］上記適用例に係るプロジェクターにおいて、前記位置検出部の検出結果が開位置で、前記光源を第１の輝度で点灯して前記画像を投写している第３の状態において、前記マイク接続検出部の検出結果が前記マイクロフォンが接続されている場合に、前記カバー部材を閉位置に移動するカバー閉操作がなされると、前記制御部は、前記光源を消灯した前記第２の状態に切り替えることを特徴とする。
【００１０】
このようなプロジェクターによれば、制御部は、光源を第１の輝度で点灯して画像を投写している第３の状態において、マイクロフォンが接続されている場合に、カバー閉操作がなされると、光源を消灯して第２の状態に切り替える。つまり、プロジェクターは、光源を消灯して、マイクロフォンから入力された音声信号に基づいた音声をスピーカーから出力することが可能となる。これにより、プロジェクターは、マイクロフォンの音声を出力する際の消費電力を低減することができる。また、光源等を冷却するためのファンを回転させる必要がないため、ファンによる騒音を低減することができる。
【００１１】
［適用例３］上記適用例に係るプロジェクターにおいて、記録媒体を装填可能とする装填部と、前記装填部に装填された前記記録媒体に記録されたコンテンツを再生する再生部と、前記再生部が再生する前記コンテンツの種別を識別するコンテンツ識別部と、をさらに有し、前記第１の状態において、前記マイク接続検出部の検出結果が前記マイクロフォンが未接続であり、且つ、前記コンテンツ識別部が識別した前記コンテンツの種別がオーディオコンテンツである場合に、前記電源オン操作がなされると、前記制御部は、前記光源を点灯せず、前記再生部により再生された前記コンテンツの音声信号に基づく音声を前記スピーカーから出力する第４の状態に切り替えることを特徴とする。
【００１２】
このようなプロジェクターによれば、記録媒体を装填して、その記録媒体に記録されたコンテンツを再生する。コンテンツ識別部は、コンテンツの種別を識別する。制御部は、第１の状態において、マイクロフォンが未接続であり、且つ、コンテンツの種別がオーディオコンテンツである場合に、電源オン操作がなされると、光源の点灯を行わず、再生部が再生するオーディオコンテンツの音声信号に基づく音声をスピーカーから出力する第４の状態に切り替える。つまり、光源を点灯しないでプロジェクターを起動して、再生部により再生されるコンテンツの音声信号に基づいた音声をスピーカーから出力することが可能となる。これにより、プロジェクターは、オーディオコンテンツを再生する際の消費電力を低減することができる。また、光源等を冷却するためのファンを回転させる必要がないため、ファンによる騒音を低減することができる。なお、オーディオコンテンツとは、画像情報を含まない音声情報のコンテンツを示す。
【００１３】
［適用例４］上記適用例に係るプロジェクターにおいて、前記第３の状態において、前記マイク接続検出部の検出結果が前記マイクロフォンが未接続であり、且つ、前記コンテンツ識別部が識別した前記コンテンツの種別がオーディオコンテンツである場合に、前記カバー閉操作がなされると、前記制御部は、前記光源を消灯した前記第４の状態に切り替えることを特徴とする。
【００１４】
このようなプロジェクターによれば、制御部は、第３の状態において、マイクロフォンが未接続であり、且つ、コンテンツの種別がオーディオコンテンツである場合に、カバー閉操作がなされると、光源を消灯して第４の状態に切り替える。つまり、プロジェクターは、光源を消灯して、再生部により再生されたコンテンツの音声信号に基づいた音声をスピーカーから出力することが可能となる。これにより、プロジェクターは、オーディオコンテンツを再生する際の消費電力を低減することができる。また、光源等を冷却するためのファンを回転させる必要がないため、ファンによる騒音を低減することができる。
【００１５】
［適用例５］上記適用例に係るプロジェクターにおいて、前記第１の状態において、前記マイク接続検出部の検出結果が前記マイクロフォンが接続されており、且つ、前記コンテンツ識別部が識別した前記コンテンツの種別がオーディオコンテンツである場合に、前記電源オン操作がなされると、前記制御部は、前記光源を点灯せず、前記マイク入力端子から入力された前記音声信号と、前記再生部により再生された前記コンテンツの前記音声信号と、の両方に基づく前記音声を前記スピーカーから出力する第５の状態に切り替えることを特徴とする。
【００１６】
このようなプロジェクターによれば、制御部は、第１の状態において、マイクロフォンが接続されており、且つ、コンテンツの種別がオーディオコンテンツである場合に、電源オン操作がなされると、光源の点灯を行わず、マイク入力端子から入力された音声信号と、再生部により再生されたコンテンツの音声信号と、の両方に基づく音声をスピーカーから出力する第５の状態に切り替える。つまり、光源を点灯しないでプロジェクターを起動して、マイクロフォンから入力された音声信号と、再生部により再生されたコンテンツの音声信号と、の両方に基づいた音声をスピーカーから出力することが可能となる。これにより、プロジェクターは、マイクロフォン音声およびオーディオコンテンツを再生して出力する際の消費電力を低減することができる。また、光源等を冷却するためのファンを回転させる必要がないため、ファンによる騒音を低減することができる。
【００１７】
［適用例６］上記適用例に係るプロジェクターにおいて、前記第３の状態において、前記マイク接続検出部の検出結果が前記マイクロフォンが接続されており、且つ、前記コンテンツ識別部が識別した前記コンテンツの種別がオーディオコンテンツである場合に、前記カバー閉操作がなされると、前記制御部は、前記光源を消灯した前記第５の状態に切り替えることを特徴とする。
【００１８】
このようなプロジェクターによれば、制御部は、第３の状態において、マイクロフォンが接続されており、且つ、コンテンツの種別がオーディオコンテンツである場合に、カバー閉操作がなされると、光源を消灯して第５の状態に切り替える。つまり、プロジェクターは、光源を消灯して、マイクロフォンから入力された音声信号と、再生部により再生されたコンテンツの音声信号と、の両方に基づいた音声をスピーカーから出力することが可能となる。これにより、プロジェクターは、マイクロフォン音声およびオーディオコンテンツを再生する際の消費電力を低減することができる。また、光源等を冷却するためのファンを回転させる必要がないため、ファンによる騒音を低減することができる。
【００１９】
［適用例７］上記適用例に係るプロジェクターにおいて、前記第３の状態において、前記マイク接続検出部の検出結果が前記マイクロフォンが未接続であり、且つ、前記コンテンツ識別部が識別した前記コンテンツの種別がオーディオコンテンツでない場合に、前記カバー閉操作がなされると、前記制御部は、前記光源を前記第１の輝度よりも低い第２の輝度で点灯させる第６の状態に切り替えることを特徴とする。
【００２０】
このようなプロジェクターによれば、制御部は、第３の状態において、マイクロフォンが未接続であり、且つ、コンテンツの種別がオーディオコンテンツでない場合に、カバー閉操作がなされると、光源を第１の輝度よりも低い第２の輝度で点灯させる第６の状態に切り替える。つまり、プロジェクターは、マイクロフォンからの音声信号の入力や、再生部からのコンテンツの音声信号の入力が無い場合には、カバー閉操作がなされると、光源の輝度を低下させる。これにより、プロジェクターは、第６の状態でカバー開操作がなされた際に、直ちに画像投写を再開することが可能となるため、利便性が向上する。
【図面の簡単な説明】
【００２１】
【図１】実施形態のプロジェクターの斜視図。
【図２】プロジェクターの概略構成を示すブロック図。
【図３】プロジェクターの状態遷移図。
【図４】プロジェクターのレンズカバー閉の待機状態における処理のフローチャート。
【図５】プロジェクターのレンズカバー開の待機状態における処理のフローチャート。
【図６】プロジェクターの画像投写状態における処理のフローチャート。
【図７】プロジェクターのマイク出力状態、マイクオーディオ出力状態、およびオーディオ出力状態における処理のフローチャート。
【図８】プロジェクターのミュート状態における処理のフローチャート。
【発明を実施するための形態】
【００２２】
以下、実施形態について説明する。
【００２３】
（実施形態）
本実施形態のプロジェクターは、ＣＤ（Compact Disc）やＤＶＤ（Digital Versatile Disc）等を再生可能なコンテンツ再生部を有しており、ＣＤやＤＶＤメディアに記録されているコンテンツ情報に基づく画像を投写したり、音声を出力したりすることが可能になっている。
【００２４】
図１は、本実施形態のプロジェクターの斜視図である。図１に示すように、プロジェクター１は、装置本体が筐体２によって覆われた構成を有している。
【００２５】
筐体２の前面２ｆには、投写レンズ１３の射出面を露出させるための開口部３が形成されている。開口部３には、カバー部材としてのレンズカバー４が開閉可能に備えられており、開口部３をレンズカバー４で閉塞することによって、投写レンズ１３を保護することが可能になっている。レンズカバー４は、合成樹脂製で略矩形の板状体であり、その１つの角部には、開閉操作を行うための操作ツマミ４ａが一体的に形成されている。操作ツマミ４ａは、筐体２の上面２ｔに形成されたスリット５から露出しており、そのスリット５に沿って操作ツマミ４ａを左右にスライド操作することによって、レンズカバー４の開閉を行うことができる。また、操作ツマミ４ａは、筐体２の上面２ｔよりも上方に突出するようになっており、スライド操作を容易にしている。
【００２６】
操作ツマミ４ａをスライド操作して、スリット５の右端（図１正面視右端）に移動させると、レンズカバー４は、開口部３を閉塞し、投写レンズ１３を覆ってその射出面を保護する。また、操作ツマミ４ａをスライド操作して、スリット５の左端（図１正面視左端）に移動させると、レンズカバー４は、投写レンズ１３の前方（射出方向）から退避し、開口部３を開放させる。この結果、開口部３から投写レンズ１３が露出し、画像の投写が可能な状態となる。なお、これ以降、操作ツマミ４ａをスリット５の右端に移動させたときのレンズカバー４の位置を「閉位置」と呼び、操作ツマミ４ａをスリット５の左端に移動させたときのレンズカバー４の位置を「開位置」と呼ぶ。なお、本実施形態では、カバー部材としてレンズカバー４を開口部３に備えるものとしているが、これに限定するものではない。カバー部材は、光源１１から射出された光の光路上に開閉可能に備えられ、閉位置によって光を遮断し、開位置によって光を透過させるものであればよい。
【００２７】
また、筐体２の前面２ｆには、記録媒体であるＣＤメディアやＤＶＤメディアを挿入するための装填部としての記録媒体装填部５０が設けられている。また、前面２ｆには、音声を出力するスピーカー４４が設けられている。
【００２８】
筐体２の上面２ｔには、ユーザーにより入力操作が行われる複数の操作キーを備えた入力操作部２１が備えられている。
【００２９】
次に、プロジェクター１の概略構成について説明する。
図２は、本実施形態に係るプロジェクター１の概略構成を示すブロック図である。図２を使用して、プロジェクター１の内部構成について説明する。
【００３０】
プロジェクター１は、画像投写部１０、制御部２０、入力操作部２１、位置検出部としてのレンズカバー位置検出部２２、光源制御部２３、ファン制御部２４、冷却ファン２５、電源回路２９、画像入力端子群３０、画像入力選択部３１、画像処理部３２、音声入力端子群４０、音声入力選択部４１、音声処理部４２、音声出力部４３、スピーカー４４、記録媒体装填部５０、再生部としてのコンテンツ再生部５１、コンテンツ識別部５２、マイク入力端子群６０、マイク接続検出部６１等を備えている。また、図２では、マイクロフォンＭＣ、およびスクリーンＳＣを図示している。
【００３１】
画像投写部１０は、超高圧水銀ランプやメタルハライドランプ等の放電型光源や、ＬＥＤ（Light Emitting Diode）等の固体光源からなる光源としての光源１１と、光変調装置としての液晶ライトバルブ１２と、投写光学系としての投写レンズ１３と、液晶ライトバルブ１２を駆動するライトバルブ駆動部１４とを備えている。
【００３２】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００３３】
光源１１から射出された光は、この液晶ライトバルブ１２を透過することによって変調され、変調後の光が投写レンズ１３によって投写されることにより、スクリーンＳＣ等に画像信号に応じた画像が表示される。
【００３４】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００３５】
入力操作部２１は、プロジェクター１に対して各種指示を行うための複数のキー等を備えている。入力操作部２１が備えるキーとしては、電源のオン／オフを行うための「電源キー」や、入力ソースを切り替えるための「入力切替キー」、各種設定を行うためのメニュー画面の表示／非表示を切り替える「メニューキー」、メニュー画面におけるカーソルの移動等に用いられる「カーソルキー」、各種設定を決定するための「決定キー」等がある。ユーザーが入力操作部２１を操作すると、入力操作部２１は、ユーザーの操作内容に応じた操作信号を制御部２０に出力する。なお、入力操作部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御部２０に伝達する。
【００３６】
レンズカバー位置検出部２２は、レンズカバー４の位置を検出して、検出結果として「閉位置」または「開位置」を表す情報を制御部２０に通知する。具体的には、例えば、レンズカバー位置検出部２２は、ＬＥＤ等の発光素子とフォトトランジスター等の受光素子（いずれも図示せず）とを有する反射型のフォトインタラプター（図示せず）を備える。レンズカバー位置検出部２２は、制御部２０の指示に基づいて、レンズカバー４が開位置に位置しているか否かを検出して、開位置に位置していれば「開位置」、開位置でなければ「閉位置」を検出結果の情報として制御部２０に通知する。
【００３７】
光源制御部２３は、制御部２０の指示に基づいて、光源１１に対する電力の供給を制御し、光源１１の点灯および消灯を切り替えたり、輝度を変更したりする。本実施形態では、光源１１の点灯時の輝度は、第１の輝度、または第２の輝度に変更可能とする。ここで、第２の輝度は、第１の輝度よりも低い輝度とする。
【００３８】
ファン制御部２４は、制御部２０の指示に基づいて、冷却ファン２５の回転を制御する。具体的には、冷却ファン２５の回転の開始や停止を行ったり、回転数を変更したりする。本実施形態では、冷却ファン２５の回転数は、光源１１を点灯したときの第１の回転数、または光源１１の輝度を下げたときの第２の回転数に変更可能とする。ここで、第２の回転数は、第１の回転数よりも低い回転数とする。
【００３９】
冷却ファン２５は、ファン制御部２４の制御に基づいて、光源１１や筐体２の内部の冷却を行う。
【００４０】
電源回路２９には、ＡＣ１００Ｖ等の商用電源が外部から供給される。電源回路２９は、商用電源を所定の電圧の直流電源に変換して、プロジェクター１の各部に電力を供給する。また、電源回路２９は、制御部２０の指示に基づいて、光源１１を点灯して画像を投写するために必要なメイン電力と、メイン電力の供給を停止して、電源オン操作を待ち受けるために必要なスタンバイ電力とを切り替えて供給することができる。
【００４１】
画像入力端子群３０は、ビデオ再生装置やパーソナルコンピューター等の図示しない外部の画像供給装置から、各種形式の画像信号を入力可能な複数の画像入力端子３０ａを備えている。各画像入力端子３０ａに入力された画像信号は、画像入力選択部３１に供給される。
【００４２】
画像入力選択部３１は、複数の画像入力端子３０ａおよびコンテンツ再生部５１から入力された画像信号のうち、制御部２０の指示に基づく１つの画像信号を選択し、選択した画像信号を画像処理部３２に出力する。ユーザーが、入力操作部２１に備わる入力切替キーを操作して所望の画像入力ソースを指定すると、制御部２０は、この画像入力ソースに対応する画像信号が画像処理部３２に出力されるよう、画像入力選択部３１に指示をする。
【００４３】
画像処理部３２は、画像入力選択部３１から入力される画像信号を、液晶ライトバルブ１２の各画素の階調を表す画像データ、即ち各画素に印加する駆動電圧を規定するための画像データに変換する。そして、制御部２０の指示に基づいて、変換した画像データに対して、明るさ、コントラスト、シャープネス、色合い等の調整や、ガンマ補正等の各種画質調整等を行う。さらに、画像処理部３２では、必要に応じてＯＳＤ（オンスクリーンディスプレイ）画像を画像データに重畳する処理を行う。画像処理部３２は、このような調整および処理を行った画像データをライトバルブ駆動部１４に出力する。
【００４４】
ライトバルブ駆動部１４が、画像処理部３２から入力される画像データに従って液晶ライトバルブ１２を駆動すると、液晶ライトバルブ１２は、画像データに応じた画像を形成し、この画像が投写レンズ１３から投写される。
【００４５】
音声入力端子群４０は、ビデオ再生装置やパーソナルコンピューター等の図示しない外部の音声供給装置から、音声信号を入力可能な複数の音声入力端子４０ａを備えている。各音声入力端子４０ａに入力された音声信号は、音声入力選択部４１に供給される。
【００４６】
音声入力選択部４１は、複数の音声入力端子４０ａおよびコンテンツ再生部５１から入力された音声信号のうち、制御部２０の指示に基づく１つの音声信号を選択し、選択した音声信号を音声処理部４２に出力する。ユーザーが、入力操作部２１に備わる入力切替キーを操作して所望の音声入力ソースを指定すると、制御部２０は、この音声入力ソースに対応する音声信号が音声処理部４２に出力されるよう、音声入力選択部４１に指示をする。
【００４７】
音声処理部４２は、制御部２０の指示に基づいて、音声入力選択部４１から入力される音声信号およびマイク入力端子群６０から入力される音声信号に、その出力特性を調整するための処理を施す。音声処理部４２で調整処理がなされた音声信号は、音声出力部４３に出力される。また、音声処理部４２は、音声入力選択部４１から入力される音声信号およびマイク入力端子群６０から入力される音声信号を合成して出力することができる。
【００４８】
音声出力部４３は、図示しない増幅回路等を備えており、制御部２０の指示に基づいて、音声処理部４２から入力した音声信号に基づく音声をスピーカー４４から出力する。
【００４９】
記録媒体装填部５０は、ＣＤメディアやＤＶＤメディアを装填可能とする。
コンテンツ再生部５１は、制御部２０の指示に基づいて、記録媒体装填部５０に装填されたＣＤメディアやＤＶＤメディア等の記録媒体に記録されているコンテンツを再生する。具体的には、コンテンツ再生部５１は、装填された記録媒体をスピンドルモーター（図示せず）で回転させるとともに、光ピックアップ（図示せず）を走査して、記録媒体に記録されている情報（データストリーム）を順次読み取る。さらに、コンテンツ再生部５１は、読み取ったデータストリームを画像信号と音声信号とに分離する処理や、分離した画像信号や音声信号をデコード（復号化）する処理等を行い、処理後の画像信号を画像入力選択部３１に出力し、音声信号を音声入力選択部４１に出力する。
【００５０】
コンテンツ識別部５２は、コンテンツ再生部５１が再生するコンテンツの種別を識別して、制御部２０に通知する。具体的には、コンテンツ識別部５２は、コンテンツのファイル形式（例えば、音楽ＣＤ形式、ＷＡＶ（WAVE）形式、ＭＰ３（MPEG Audio Layer-3）形式、ＷＭＡ（Windows（登録商標） Media Audio）形式、ＡＡＣ（Advanced Audio Coding）形式等）によってコンテンツの種別を識別することが可能である。
【００５１】
マイク入力端子群６０は、マイクロフォンＭＣから、音声信号を入力可能な複数または単数のマイク入力端子６０ａを備えている。マイク入力端子６０ａに入力された音声信号は、音声処理部４２に供給される。
【００５２】
マイク接続検出部６１は、マイク入力端子６０ａにマイクロフォンＭＣが接続されているか否かを検出して、検出結果を制御部２０に通知する。具体的には、マイク接続検出部６１は、例えば、マイクロフォンＭＣのプラグがマイク入力端子６０ａ（ジャック）に挿嵌されることにより押圧されるスイッチ等を有する。そして、マイク接続検出部６１は、当該スイッチの押圧状態によってマイクロフォンＭＣの接続を検出することができる。
【００５３】
上述した構成により、プロジェクター１は、画像入力端子３０ａやコンテンツ再生部５１から入力された画像信号に基づいて画像をスクリーンＳＣに投写したり、音声入力端子４０ａやコンテンツ再生部５１、およびマイク入力端子６０ａから入力された音声信号に基づいて音声を出力したりすることができる。
以降、プロジェクター１の動作処理について説明する。
【００５４】
まず、プロジェクター１の状態遷移について説明する。
図３は、本実施形態に係るプロジェクター１の状態遷移図である。図３に示すように、プロジェクター１は、第１の状態としてのレンズカバー閉の待機状態ＳＴ１０、レンズカバー開の待機状態ＳＴ１１、第３の状態としての画像投写状態ＳＴ１２、第２の状態としてのマイク出力状態ＳＴ１３、第５の状態としてのマイクオーディオ出力状態ＳＴ１４、第４の状態としてのオーディオ出力状態ＳＴ１５、第６の状態としてのミュート状態ＳＴ１６、および起動中断状態ＳＴ１７に遷移可能となっている。なお、「ＳＴ」は状態（Status）を表している。
【００５５】
プロジェクター１は、レンズカバー４が閉位置で、外部からＡＣ１００Ｖ等の商用電源が供給されると、レンズカバー閉の待機状態ＳＴ１０となる。レンズカバー閉の待機状態ＳＴ１０は、プロジェクター１が、電源オン操作が行われるのを待機している状態である。レンズカバー閉の待機状態ＳＴ１０において、電源オン操作が行われると、マイクロフォンＭＣの接続状態および入力されるコンテンツの種別に応じて、マイク出力状態ＳＴ１３、マイクオーディオ出力状態ＳＴ１４、オーディオ出力状態ＳＴ１５、または起動中断状態ＳＴ１７のいずれかに遷移する。また、レンズカバー閉の待機状態ＳＴ１０でレンズカバー４が開かれると、レンズカバー開の待機状態ＳＴ１１に遷移する。
【００５６】
レンズカバー開の待機状態ＳＴ１１は、プロジェクター１が、電源オン操作が行われるのを待機している状態である。レンズカバー開の待機状態ＳＴ１１において、電源オン操作が行われると、画像投写状態ＳＴ１２に遷移する。また、レンズカバー開の待機状態ＳＴ１１でレンズカバー４が閉じられると、レンズカバー閉の待機状態ＳＴ１０に遷移する。
【００５７】
画像投写状態ＳＴ１２は、光源１１を点灯して、選択された画像入力ソースに対応する画像信号に基づいた画像を投写したり、選択された音声入力ソースに対応する音声信号に基づいた音声を出力したりする状態である。また、マイクロフォンＭＣが接続されていれば、マイク入力端子６０ａから入力された音声信号に基づいた音声の出力も行う。ここで、画像投写状態ＳＴ１２における光源１１の輝度を第１の輝度とする。画像投写状態ＳＴ１２において、レンズカバー４が閉じられると、マイクロフォンＭＣの接続状態および入力されるコンテンツの種別に応じて、マイク出力状態ＳＴ１３、マイクオーディオ出力状態ＳＴ１４、オーディオ出力状態ＳＴ１５、またはミュート状態ＳＴ１６のいずれかに遷移する。また、画像投写状態ＳＴ１２で電源オフ操作が行われると、レンズカバー開の待機状態ＳＴ１１に遷移する。
【００５８】
マイク出力状態ＳＴ１３は、光源１１を消灯して、マイクロフォンＭＣから入力される音声信号に基づいた音声を出力する状態である。マイク出力状態ＳＴ１３において、レンズカバー４が開けられると、画像投写状態ＳＴ１２に遷移する。また、マイク出力状態ＳＴ１３で電源オフ操作が行われると、レンズカバー閉の待機状態ＳＴ１０に遷移する。
【００５９】
マイクオーディオ出力状態ＳＴ１４は、光源１１を消灯して、マイクロフォンＭＣから入力される音声信号と、コンテンツ再生部５１から入力されるオーディオコンテンツの音声信号と、の両方に基づいた音声を出力する状態である。マイクオーディオ出力状態ＳＴ１４において、レンズカバー４が開けられると、画像投写状態ＳＴ１２に遷移する。また、マイクオーディオ出力状態ＳＴ１４で電源オフ操作が行われると、レンズカバー閉の待機状態ＳＴ１０に遷移する。
【００６０】
オーディオ出力状態ＳＴ１５は、光源１１を消灯して、コンテンツ再生部５１から入力されるオーディオコンテンツの音声信号に基づいた音声を出力する状態である。オーディオ出力状態ＳＴ１５において、レンズカバー４が開けられると、画像投写状態ＳＴ１２に遷移する。また、オーディオ出力状態ＳＴ１５で電源オフ操作が行われると、レンズカバー閉の待機状態ＳＴ１０に遷移する。
【００６１】
ミュート状態ＳＴ１６は、光源１１の輝度を低下して、画像の投写を停止している状態である。このときの光源１１の輝度を第２の輝度とする。ミュート状態ＳＴ１６において、レンズカバー４が開けられると、画像投写状態ＳＴ１２に遷移する。また、ミュート状態ＳＴ１６で電源オフ操作が行われると、レンズカバー閉の待機状態ＳＴ１０に遷移する。
【００６２】
起動中断状態ＳＴ１７は、光源１１を消灯して、画像の投写を停止している状態である。起動中断状態ＳＴ１７において、レンズカバー４が開けられると、画像投写状態ＳＴ１２に遷移する。また、起動中断状態ＳＴ１７で電源オフ操作が行われると、レンズカバー閉の待機状態ＳＴ１０に遷移する。
【００６３】
次に、プロジェクター１の主要な状態における処理と状態遷移について説明する。まず、プロジェクター１のレンズカバー閉の待機状態ＳＴ１０における処理と状態遷移について説明する。
図４は、プロジェクター１のレンズカバー閉の待機状態ＳＴ１０における処理のフローチャートである。
【００６４】
レンズカバー閉の待機状態ＳＴ１０において、制御部２０は、入力操作部２１に備わる電源キーが押下され、電源オン操作が行われたか否かを判断する（ステップＳ１０１）。電源オン操作が行われた場合（ステップＳ１０１：ＹＥＳ）、制御部２０は、マイク接続検出部６１からの検出結果に基づいて、マイクロフォンＭＣが接続されているか否かを判断する（ステップＳ１０２）。マイクロフォンＭＣが接続されていた場合（ステップＳ１０２：ＹＥＳ）、制御部２０は、コンテンツ識別部５２からの識別結果に基づいて、コンテンツ再生部５１から入力するコンテンツの種別がオーディオコンテンツか否かを判断する（ステップＳ１０３）。
【００６５】
コンテンツの種別がオーディオコンテンツでない場合（ステップＳ１０３：ＮＯ）、制御部２０は、初期処理を行う（ステップＳ１０４）。本実施形態では、初期処理は、ＣＰＵの初期化やＲＡＭ等のメモリーの初期化を行う。また、その他のソフトウェアやハードウェアの初期化等も行われる。次に、制御部２０は、音声処理部４２および音声出力部４３に指示を出して、マイク入力端子６０ａから入力される音声信号に基づく音声の出力を開始させる（ステップＳ１０５）。そして、制御部２０は、プロジェクター１をマイク出力状態ＳＴ１３に遷移させる（ステップＳ１０６）。そして、レンズカバー閉の待機状態ＳＴ１０におけるプロジェクター１の処理を終了する。
【００６６】
コンテンツの種別がオーディオコンテンツである場合（ステップＳ１０３：ＹＥＳ）、制御部２０は、初期処理を行う（ステップＳ１０７）。次に、制御部２０は、音声処理部４２および音声出力部４３に指示を出して、マイク入力端子６０ａから入力される音声信号に基づく音声の出力を開始させる（ステップＳ１０８）。さらに、制御部２０は、音声入力選択部４１にコンテンツ再生部５１からの音声信号を選択させる。さらに、制御部２０は、音声処理部４２および音声出力部４３にコンテンツ再生部５１からの音声信号に基づく音声の出力を開始させる（ステップＳ１０９）。
【００６７】
そして、制御部２０は、プロジェクター１をマイクオーディオ出力状態ＳＴ１４に遷移させる（ステップＳ１１０）。そして、レンズカバー閉の待機状態ＳＴ１０におけるプロジェクター１の処理を終了する。
【００６８】
マイクロフォンＭＣが接続されていない場合（ステップＳ１０２：ＮＯ）、制御部２０は、コンテンツ識別部５２からの識別結果に基づいて、コンテンツ再生部５１から入力するコンテンツの種別がオーディオコンテンツか否かを判断する（ステップＳ１１１）。
【００６９】
コンテンツの種別がオーディオコンテンツである場合（ステップＳ１１１：ＹＥＳ）、制御部２０は、初期処理を行う（ステップＳ１１２）。次に、制御部２０は、音声入力選択部４１にコンテンツ再生部５１からの音声信号を選択させる。さらに、制御部２０は、音声処理部４２および音声出力部４３にコンテンツ再生部５１からの音声信号に基づく音声の出力を開始させる（ステップＳ１１３）。
【００７０】
そして、制御部２０は、プロジェクター１をオーディオ出力状態ＳＴ１５に遷移させる（ステップＳ１１４）。そして、レンズカバー閉の待機状態ＳＴ１０におけるプロジェクター１の処理を終了する。
【００７１】
コンテンツの種別がオーディオコンテンツでない場合（ステップＳ１１１：ＮＯ）、制御部２０は、初期処理を行う（ステップＳ１１５）。そして、制御部２０は、プロジェクター１を起動中断状態ＳＴ１７に遷移させる（ステップＳ１１６）。そして、レンズカバー閉の待機状態ＳＴ１０におけるプロジェクター１の処理を終了する。
【００７２】
電源オン操作が行われていない場合（ステップＳ１０１：ＮＯ）、制御部２０は、レンズカバー位置検出部２２からの検出結果に基づいて、レンズカバー４が開けられたか否かを判断する（ステップＳ１１７）。レンズカバー４が開けられた場合（ステップＳ１１７：ＹＥＳ）、制御部２０は、プロジェクター１をレンズカバー開の待機状態ＳＴ１１に遷移させる（ステップＳ１１８）。そして、レンズカバー閉の待機状態ＳＴ１０におけるプロジェクター１の処理を終了する。
【００７３】
レンズカバー４が開けられていない場合（ステップＳ１１７：ＮＯ）、ステップＳ１０１に戻る。
【００７４】
上述したように、プロジェクター１は、レンズカバー閉の待機状態ＳＴ１０において電源オン操作が行われると、マイクロフォンＭＣが接続されているか否か、および、コンテンツがオーディオコンテンツか否か、に基づいて、マイク出力状態ＳＴ１３、マイクオーディオ出力状態ＳＴ１４、オーディオ出力状態ＳＴ１５、または起動中断状態ＳＴ１７に遷移することができる。また、プロジェクター１は、レンズカバー閉の待機状態ＳＴ１０において、レンズカバー４が開かれると、レンズカバー開の待機状態ＳＴ１１に遷移することができる。
【００７５】
次に、プロジェクター１のレンズカバー開の待機状態ＳＴ１１における処理と状態遷移について説明する。
図５は、プロジェクター１のレンズカバー開の待機状態ＳＴ１１における処理のフローチャートである。
【００７６】
レンズカバー開の待機状態ＳＴ１１において、制御部２０は、入力操作部２１に備わる電源キーが押下され、電源オン操作が行われたか否かを判断する（ステップＳ２０１）。電源オン操作が行われた場合（ステップＳ２０１：ＹＥＳ）、制御部２０は、初期処理を行う（ステップＳ２０２）。そして、制御部２０は、光源制御部２３に指示を出して、光源１１を第１の輝度で点灯させる（ステップＳ２０３）。さらに、制御部２０は、ファン制御部２４に指示を出して、冷却ファン２５を第１の回転数で回転させる（ステップＳ２０４）。
【００７７】
制御部２０は、画像入力選択部３１に指示を出して、所定の画像入力ソースに対応する画像信号を選択させる。そして、画像処理部３２に指示を出して、画像信号に基づいた画像の投写を開始させる（ステップＳ２０５）。さらに、制御部２０は、音声入力選択部４１に所定の音声入力ソースに対応する音声信号を選択させる。そして、制御部２０は、音声処理部４２および音声出力部４３に所定の音声信号に基づく音声の出力を開始させる（ステップＳ２０６）。ここで、所定の画像入力ソースに対応する画像信号、および所定の音声入力ソースに対応する音声信号とは、例えば、前回、プロジェクター１が電源オフされた際に選択されていた画像入力ソースに対応する画像信号、および音声入力ソースに対応する音声信号とする。そして、制御部２０は、プロジェクター１を画像投写状態ＳＴ１２に遷移させる（ステップＳ２０７）。そして、レンズカバー開の待機状態ＳＴ１１におけるプロジェクター１の処理を終了する。
【００７８】
電源オン操作が行われていない場合（ステップＳ２０１：ＮＯ）、制御部２０は、レンズカバー位置検出部２２からの検出結果に基づいて、レンズカバー４が閉じられたか否かを判断する（ステップＳ２０８）。レンズカバー４が閉じられた場合（ステップＳ２０８：ＹＥＳ）、制御部２０は、プロジェクター１をレンズカバー閉の待機状態ＳＴ１０に遷移させる（ステップＳ２０９）。そして、レンズカバー開の待機状態ＳＴ１１におけるプロジェクター１の処理を終了する。
【００７９】
レンズカバー４が閉じられていない場合（ステップＳ２０８：ＮＯ）、ステップＳ２０１に戻る。
【００８０】
上述したように、プロジェクター１は、レンズカバー開の待機状態ＳＴ１１において、電源オン操作が行われると、画像投写状態ＳＴ１２に遷移することができる。
【００８１】
次に、プロジェクター１の画像投写状態ＳＴ１２における処理と状態遷移について説明する。
図６は、プロジェクター１の画像投写状態ＳＴ１２における処理のフローチャートである。
【００８２】
画像投写状態ＳＴ１２において、制御部２０は、レンズカバー位置検出部２２からの検出結果に基づいて、レンズカバー４が閉められたか否かを判断する（ステップＳ３０１）。レンズカバー４が閉められた場合（ステップＳ３０１：ＹＥＳ）、制御部２０は、マイク接続検出部６１からの検出結果に基づいて、マイクロフォンＭＣが接続されているか否かを判断する（ステップＳ３０２）。マイクロフォンＭＣが接続されていた場合（ステップＳ３０２：ＹＥＳ）、制御部２０は、コンテンツ識別部５２からの識別結果に基づいて、コンテンツ再生部５１から入力するコンテンツの種別がオーディオコンテンツか否かを判断する（ステップＳ３０３）。
【００８３】
コンテンツの種別がオーディオコンテンツでない場合（ステップＳ３０３：ＮＯ）、制御部２０は、光源制御部２３に指示を出して、光源１１を消灯させる（ステップＳ３０４）。さらに、制御部２０は、ファン制御部２４に指示を出して、冷却ファン２５を停止させる（ステップＳ３０５）。次に、制御部２０は、画像処理部３２に指示を出して、画像の投写を停止させる（ステップＳ３０６）。そして、制御部２０は、プロジェクター１をマイク出力状態ＳＴ１３に遷移させる（ステップＳ３０７）。そして、画像投写状態ＳＴ１２におけるプロジェクター１の処理を終了する。
【００８４】
コンテンツの種別がオーディオコンテンツである場合（ステップＳ３０３：ＹＥＳ）、制御部２０は、光源制御部２３に指示を出して、光源１１を消灯させる（ステップＳ３０８）。さらに、制御部２０は、ファン制御部２４に指示を出して、冷却ファン２５を停止させる（ステップＳ３０９）。次に、制御部２０は、画像処理部３２に指示を出して、画像の投写を停止させる（ステップＳ３１０）。そして、制御部２０は、プロジェクター１をマイクオーディオ出力状態ＳＴ１４に遷移させる（ステップＳ３１１）。そして、画像投写状態ＳＴ１２におけるプロジェクター１の処理を終了する。
【００８５】
マイクロフォンＭＣが接続されていない場合（ステップＳ３０２：ＮＯ）、制御部２０は、コンテンツ識別部５２からの識別結果に基づいて、コンテンツ再生部５１から入力するコンテンツの種別がオーディオコンテンツか否かを判断する（ステップＳ３１２）。
【００８６】
コンテンツの種別がオーディオコンテンツである場合（ステップＳ３１２：ＹＥＳ）、制御部２０は、光源制御部２３に指示を出して、光源１１を消灯させる（ステップＳ３１３）。さらに、制御部２０は、ファン制御部２４に指示を出して、冷却ファン２５を停止させる（ステップＳ３１４）。次に、制御部２０は、画像処理部３２に指示を出して、画像の投写を停止させる（ステップＳ３１５）。そして、制御部２０は、プロジェクター１をオーディオ出力状態ＳＴ１５に遷移させる（ステップＳ３１６）。そして、画像投写状態ＳＴ１２におけるプロジェクター１の処理を終了する。
【００８７】
コンテンツの種別がオーディオコンテンツでない場合（ステップＳ３１２：ＮＯ）、制御部２０は、光源制御部２３に指示を出して、光源１１の輝度を第２の輝度に変更させる（ステップＳ３１７）。さらに、制御部２０は、ファン制御部２４に指示を出して、冷却ファン２５の回転数を第２の回転数に変更させる（ステップＳ３１８）。次に、制御部２０は、画像処理部３２に指示を出して、画像の投写を停止させる（ステップＳ３１９）。そして、制御部２０は、プロジェクター１をミュート状態ＳＴ１６に遷移させる（ステップＳ３２０）。そして、画像投写状態ＳＴ１２におけるプロジェクター１の処理を終了する。
【００８８】
レンズカバー４が閉められていない場合（ステップＳ３０１：ＮＯ）、制御部２０は、入力操作部２１に備わる電源キーが押下され、電源オフ操作が行われたか否かを判断する（ステップＳ３２１）。電源オフ操作が行われた場合（ステップＳ３２１：ＹＥＳ）、制御部２０は、光源制御部２３に指示を出して、光源１１を消灯させる（ステップＳ３２２）。さらに、制御部２０は、ファン制御部２４に指示を出して、冷却ファン２５を停止させる（ステップＳ３２３）。そして、制御部２０は、電源オフ処理を行う（ステップＳ３２４）。本実施形態では、電源オフ処理は、プロジェクター１の電源オフに伴って行われる処理を示し、電源オフに対応したソフトウェアやハードウェアの処理等を含む。そして、制御部２０は、プロジェクター１をレンズカバー開の待機状態ＳＴ１１に遷移させる（ステップＳ３２５）。そして、画像投写状態ＳＴ１２におけるプロジェクター１の処理を終了する。
【００８９】
電源オフ操作が行われていない場合（ステップＳ３２１：ＮＯ）、制御部２０は、その他の操作が行われたか否かを判断する（ステップＳ３２６）。その他の操作が行われた場合（ステップＳ３２６：ＹＥＳ）、制御部２０は、その他の操作に対応した処理を行う（ステップＳ３２７）。そして、ステップＳ３０１に移行する。ここで、その他の操作とは、プロジェクター１の入力操作部２１に備わる各種キーの操作等を示すが、説明は省略する。
【００９０】
その他の操作が行われていなければ（ステップＳ３２６：ＮＯ）、ステップＳ３０１に移行する。
【００９１】
上述したように、プロジェクター１は、画像投写状態ＳＴ１２において、レンズカバー４が閉められると、マイクロフォンＭＣが接続されているか否か、および、コンテンツがオーディオコンテンツか否か、に基づいて、マイク出力状態ＳＴ１３、マイクオーディオ出力状態ＳＴ１４、オーディオ出力状態ＳＴ１５、またはミュート状態ＳＴ１６に遷移することができる。また、プロジェクター１は、画像投写状態ＳＴ１２において、電源オフ操作が行われると、レンズカバー開の待機状態ＳＴ１１に遷移することができる。
【００９２】
次に、プロジェクター１のマイク出力状態ＳＴ１３、マイクオーディオ出力状態ＳＴ１４、およびオーディオ出力状態ＳＴ１５において共通に行われる処理と状態遷移について説明する。
図７は、プロジェクター１のマイク出力状態ＳＴ１３、マイクオーディオ出力状態ＳＴ１４、およびオーディオ出力状態ＳＴ１５における処理のフローチャートである。
【００９３】
マイク出力状態ＳＴ１３、マイクオーディオ出力状態ＳＴ１４、およびオーディオ出力状態ＳＴ１５において、制御部２０は、レンズカバー位置検出部２２からの検出結果に基づいて、レンズカバー４が開けられたか否かを判断する（ステップＳ４０１）。レンズカバー４が開けられた場合（ステップＳ４０１：ＹＥＳ）、制御部２０は、光源制御部２３に指示を出して、光源１１を第１の輝度で点灯させる（ステップＳ４０２）。さらに、制御部２０は、ファン制御部２４に指示を出して、冷却ファン２５を第１の回転数で回転させる（ステップＳ４０３）。次に、制御部２０は、画像処理部３２に指示を出して、画像の投写を開始させる（ステップＳ４０４）。
【００９４】
そして、制御部２０は、プロジェクター１を画像投写状態ＳＴ１２に遷移させる（ステップＳ４０５）。そして、マイク出力状態ＳＴ１３、マイクオーディオ出力状態ＳＴ１４、およびオーディオ出力状態ＳＴ１５におけるプロジェクター１の処理を終了する。
【００９５】
レンズカバー４が開けられていない場合（ステップＳ４０１：ＮＯ）、制御部２０は、入力操作部２１に備わる電源キーが押下され、電源オフ操作が行われたか否かを判断する（ステップＳ４０６）。電源オフ操作が行われた場合（ステップＳ４０６：ＹＥＳ）、制御部２０は、電源オフ処理を行う（ステップＳ４０７）。そして、制御部２０は、プロジェクター１をレンズカバー閉の待機状態ＳＴ１０に遷移させる（ステップＳ４０８）。そして、マイク出力状態ＳＴ１３、マイクオーディオ出力状態ＳＴ１４、およびオーディオ出力状態ＳＴ１５におけるプロジェクター１の処理を終了する。
【００９６】
電源オフ操作が行われていない場合（ステップＳ４０６：ＮＯ）、制御部２０は、その他の操作が行われたか否かを判断する（ステップＳ４０９）。その他の操作が行われた場合（ステップＳ４０９：ＹＥＳ）、制御部２０は、その他の操作に対応した処理を行う（ステップＳ４１０）。そして、ステップＳ４０１に移行する。
その他の操作が行われていなければ（ステップＳ４０９：ＮＯ）、ステップＳ４０１に移行する。
【００９７】
上述したように、プロジェクター１は、マイク出力状態ＳＴ１３、マイクオーディオ出力状態ＳＴ１４、およびオーディオ出力状態ＳＴ１５において、レンズカバー４が開けられると、画像投写状態ＳＴ１２に遷移することができる。また、プロジェクター１は、マイク出力状態ＳＴ１３、マイクオーディオ出力状態ＳＴ１４、およびオーディオ出力状態ＳＴ１５において、電源オフ操作が行われると、レンズカバー閉の待機状態ＳＴ１０に遷移することができる。
【００９８】
次に、プロジェクター１のミュート状態ＳＴ１６において行われる処理と状態遷移について説明する。
図８は、プロジェクター１のミュート状態ＳＴ１６における処理のフローチャートである。
【００９９】
ミュート状態ＳＴ１６において、制御部２０は、レンズカバー位置検出部２２からの検出結果に基づいて、レンズカバー４が開けられたか否かを判断する（ステップＳ５０１）。レンズカバー４が開けられた場合（ステップＳ５０１：ＹＥＳ）、制御部２０は、光源制御部２３に指示を出して、光源１１の輝度を第１の輝度に変更させる（ステップＳ５０２）。さらに、制御部２０は、ファン制御部２４に指示を出して、冷却ファン２５の回転数を第１の回転数に変更させる（ステップＳ５０３）。次に、制御部２０は、画像処理部３２に指示を出して、画像の投写を開始させる（ステップＳ５０４）。
【０１００】
そして、制御部２０は、プロジェクター１を画像投写状態ＳＴ１２に遷移させる（ステップＳ５０５）。そして、ミュート状態ＳＴ１６におけるプロジェクター１の処理を終了する。
【０１０１】
レンズカバー４が開けられていない場合（ステップＳ５０１：ＮＯ）、制御部２０は、入力操作部２１に備わる電源キーが押下され、電源オフ操作が行われたか否かを判断する（ステップＳ５０６）。電源オフ操作が行われた場合（ステップＳ５０６：ＹＥＳ）、制御部２０は、光源制御部２３に指示を出して、光源１１を消灯させる（ステップＳ５０７）。さらに、制御部２０は、ファン制御部２４に指示を出して、冷却ファン２５を停止させる（ステップＳ５０８）。そして、制御部２０は、電源オフ処理を行う（ステップＳ５０９）。
【０１０２】
そして、制御部２０は、プロジェクター１をレンズカバー閉の待機状態ＳＴ１０に遷移させる（ステップＳ５１０）。そして、ミュート状態ＳＴ１６におけるプロジェクター１の処理を終了する。
【０１０３】
電源オフ操作が行われていない場合（ステップＳ５０６：ＮＯ）、制御部２０は、その他の操作が行われたか否かを判断する（ステップＳ５１１）。その他の操作が行われた場合（ステップＳ５１１：ＹＥＳ）、制御部２０は、その他の操作に対応した処理を行う（ステップＳ５１２）。そして、ステップＳ５０１に移行する。
その他の操作が行われていなければ（ステップＳ５１１：ＮＯ）、ステップＳ５０１に移行する。
【０１０４】
上述したように、プロジェクター１は、ミュート状態ＳＴ１６において、レンズカバー４が開けられると、画像投写状態ＳＴ１２に遷移することができる。また、プロジェクター１は、ミュート状態ＳＴ１６において、電源オフ操作が行われると、レンズカバー閉の待機状態ＳＴ１０に遷移することができる。
【０１０５】
上述した実施形態によれば、以下の効果が得られる。
（１）プロジェクター１は、レンズカバー閉の待機状態ＳＴ１０において、マイクロフォンＭＣが接続されており、且つ、再生するコンテンツがオーディオコンテンツでない場合に、ユーザーにより電源オン操作が行われると、光源１１の点灯を行わず、冷却ファン２５の回転も行わない。そして、マイク入力端子６０ａから入力された音声信号に基づく音声をスピーカー４４から出力するマイク出力状態ＳＴ１３として起動する。これにより、光源１１の点灯を行わないため、プロジェクター１は、マイクロフォンＭＣから入力される音声信号に基づく音声を出力する際の消費電力を低減することができる。また、冷却ファン２５の回転も行わないため、ファンによる騒音を低減することができる。
【０１０６】
（２）プロジェクター１は、レンズカバー閉の待機状態ＳＴ１０において、マイクロフォンＭＣが接続されており、且つ、再生するコンテンツがオーディオコンテンツである場合に、ユーザーにより電源オン操作が行われると、光源１１の点灯を行わず、冷却ファン２５の回転も行わない。そして、マイク入力端子６０ａから入力された音声信号と、コンテンツ再生部５１から入力されたオーディオコンテンツの音声信号と、の両方に基づく音声をスピーカー４４から出力するマイクオーディオ出力状態ＳＴ１４として起動する。これにより、光源１１の点灯を行わないため、プロジェクター１は、マイクロフォンＭＣおよびオーディオコンテンツの音声信号に基づく音声を出力する際の消費電力を低減することができる。また、冷却ファン２５の回転も行わないため、ファンによる騒音を低減することができる。
【０１０７】
（３）プロジェクター１は、レンズカバー閉の待機状態ＳＴ１０において、マイクロフォンＭＣが接続されておらず、且つ、再生するコンテンツがオーディオコンテンツである場合に、ユーザーにより電源オン操作が行われると、光源１１の点灯を行わず、冷却ファン２５の回転も行わない。そして、コンテンツ再生部５１から入力されたオーディオコンテンツの音声信号に基づく音声をスピーカー４４から出力するオーディオ出力状態ＳＴ１５として起動する。これにより、光源１１の点灯を行わないため、プロジェクター１は、オーディオコンテンツの音声信号に基づく音声を出力する際の消費電力を低減することができる。また、冷却ファン２５の回転も行わないため、ファンによる騒音を低減することができる。
【０１０８】
（４）プロジェクター１は、画像投写状態ＳＴ１２において、マイクロフォンＭＣが接続されており、且つ、再生するコンテンツがオーディオコンテンツでない場合に、ユーザーによりレンズカバー４が閉められると、光源１１を消灯して冷却ファン２５を停止する。そして、マイク入力端子６０ａから入力された音声信号に基づく音声をスピーカー４４から出力するマイク出力状態ＳＴ１３に遷移する。これにより、光源１１の点灯を行わないため、プロジェクター１は、マイクロフォンＭＣから入力される音声信号に基づく音声を出力する際の消費電力を低減することができる。また、冷却ファン２５の回転を行わないため、ファンによる騒音を低減することができる。
【０１０９】
（５）プロジェクター１は、画像投写状態ＳＴ１２において、マイクロフォンＭＣが接続されており、且つ、再生するコンテンツがオーディオコンテンツである場合に、ユーザーによりレンズカバー４が閉められると、光源１１を消灯して冷却ファン２５を停止する。そして、マイク入力端子６０ａから入力された音声信号と、コンテンツ再生部５１から入力されたオーディオコンテンツの音声信号と、の両方に基づく音声をスピーカー４４から出力するマイクオーディオ出力状態ＳＴ１４に遷移する。これにより、光源１１の点灯を行わないため、プロジェクター１は、マイクロフォンＭＣおよびオーディオコンテンツの音声信号に基づく音声を出力する際の消費電力を低減することができる。また、冷却ファン２５の回転を行わないため、ファンによる騒音を低減することができる。
【０１１０】
（６）プロジェクター１は、画像投写状態ＳＴ１２において、マイクロフォンＭＣが接続されておらず、且つ、再生するコンテンツがオーディオコンテンツである場合に、ユーザーによりレンズカバー４が閉められると、光源１１を消灯して冷却ファン２５を停止する。そして、コンテンツ再生部５１から入力されたオーディオコンテンツの音声信号に基づく音声をスピーカー４４から出力するオーディオ出力状態ＳＴ１５に遷移する。これにより、光源１１の点灯を行わないため、プロジェクター１は、オーディオコンテンツの音声信号に基づく音声を出力する際の消費電力を低減することができる。また、冷却ファン２５の回転を行わないため、ファンによる騒音を低減することができる。
【０１１１】
（７）プロジェクター１は、画像投写状態ＳＴ１２において、マイクロフォンＭＣが接続されておらず、且つ、再生するコンテンツがオーディオコンテンツでない場合に、ユーザーによりレンズカバー４が閉められると、光源１１の輝度を第２の輝度に変更し、冷却ファン２５の回転数を第２の回転数に変更する。そして、画像投写を停止して、ミュート状態ＳＴ１６に遷移する。これにより、光源１１の輝度が低下するため、プロジェクター１は、ミュート状態ＳＴ１６での消費電力を低減することができる。また、冷却ファン２５の回転数が低下するため、ファンによる騒音を低減することができる。また、ミュート状態ＳＴ１６では光源１１を消灯しないので、レンズカバー４が開かれたときに、光源１１を再点灯する必要がなく、画像の投写を素早く再開することが可能となる。
【０１１２】
なお、上述した実施形態に限定されず、種々の変更や改良等を加えて実施することが可能である。変形例を以下に述べる。
【０１１３】
（変形例１）上記実施形態では、プロジェクター１は、画像投写状態ＳＴ１２において、マイクロフォンＭＣが接続されており、且つ、コンテンツの種別がオーディオコンテンツでない場合に、ユーザーによりレンズカバー４が閉められると、マイク出力状態ＳＴ１３に遷移するものとした。ここで、プロジェクター１は、画像入力選択部３１に入力される画像信号の有無を検出する画像信号検出部（図示せず）をさらに有するものとしてもよい。そして、プロジェクター１は、画像投写状態ＳＴ１２において、ユーザーによりレンズカバー４が閉められたときに、マイクロフォンＭＣが接続されており、且つ、コンテンツの種別がオーディオコンテンツでない場合に、前記画像信号検出部の検出結果が画像信号無しであれば、マイク出力状態ＳＴ１３に遷移するものとする。さらに、前記画像信号検出部の検出結果が画像信号有りであれば、ミュート状態ＳＴ１６に遷移するものとする。こうすれば、プロジェクター１に画像信号が入力されていれば、ミュート状態ＳＴ１６となるので、再度、画像投写を行うためにレンズカバー４が開かれたときに、光源１１を再点灯する必要がなく、画像の投写を素早く再開することが可能となる。
【０１１４】
（変形例２）上記実施形態では、プロジェクター１は、マイク出力状態ＳＴ１３、マイクオーディオ出力状態ＳＴ１４、およびオーディオ出力状態ＳＴ１５において、冷却ファンを停止するものとしたが、筐体２の内部の冷却のために第３の回転数で回転させてもよい。ここで、第３の回転数は、第２の回転数よりも低い回転数であることが望ましい。
【０１１５】
（変形例３）上記実施形態では、プロジェクター１のファン制御部２４は、第１の回転数、および第２の回転数で、冷却ファン２５を回転させるものとしたが、筐体２の内部にサーミスター等の温度検出部（図示せず）を備え、ファン制御部２４は、当該温度検出部によって検出された温度に基づいて、冷却ファン２５の回転数を制御するものとしてもよい。こうすれば、光源１１や筐体２の内部の温度に基づいて、好適な回転数で冷却ファン２５を回転させることができる。
【０１１６】
（変形例４）上記実施形態では、プロジェクター１の記録媒体装填部５０に装填される記録媒体は、ＣＤメディアやＤＶＤメディアとしたが、ＵＳＢメモリー等のＵＳＢストレージやメモリーカード等としてもよい。この場合、コンテンツ再生部５１は、ＵＳＢストレージやメモリーカード等の記録媒体に記録されているコンテンツを読み出して再生する。
【０１１７】
（変形例５）上記実施形態では、プロジェクター１のレンズカバー位置検出部２２は、反射型のフォトインタラプタを備えて構成されるものとしたが、これに限定するものではない。例えば、他の光センサーや磁気センサー等を用いてもよい。また、光センサーや磁気センサーのように非接触で位置を検出する非接触式のセンサーに限られず、接触式のセンサーやスイッチ等を用いることも可能である。
【０１１８】
（変形例６）上記実施形態では、プロジェクター１は、記録媒体装填部５０やコンテンツ再生部５１等を有して、オーディオコンテンツを再生可能としているが、オーディオコンテンツの再生機能を有しない態様としてもよい。この場合、プロジェクター１は、マイク出力状態ＳＴ１３には遷移するが、マイクオーディオ出力状態ＳＴ１４やオーディオ出力状態ＳＴ１５には遷移しない。
【０１１９】
（変形例７）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１２０】
１…プロジェクター、２…筐体、２ｆ…前面、２ｔ…上面、３…開口部、４…レンズカバー、４ａ…操作ツマミ、５…スリット、１０…画像投写部、１１…光源、１２…液晶ライトバルブ、１３…投写レンズ、１４…ライトバルブ駆動部、２０…制御部、２１…入力操作部、２２…レンズカバー位置検出部、２３…光源制御部、２４…ファン制御部、２５…冷却ファン、２９…電源回路、３０…画像入力端子群、３０ａ…画像入力端子、３１…画像入力選択部、３２…画像処理部、４０…音声入力端子群、４０ａ…音声入力端子、４１…音声入力選択部、４２…音声処理部、４３…音声出力部、４４…スピーカー、５０…記録媒体装填部、５１…コンテンツ再生部、５２…コンテンツ識別部、６０…マイク入力端子群、６０ａ…マイク入力端子、６１…マイク接続検出部、ＭＣ…マイクロフォン、ＳＣ…スクリーン。
【図１】
2010281863.tif 000003
【図２】
2010281863.tif 000004
【図３】
2010281863.tif 000005
【図４】
2010281863.tif 000006
【図５】
2010281863.tif 000007
【図６】
2010281863.tif 000008
【図７】
2010281863.tif 000009
【図８】
2010281863.tif 000010